(57)【要約】【課題】部品点数を増やすことなく、外観が良好で、且つ連結強度の優れた二部材の連結構造体を提供すること。【解決手段】断面略ロ字形部分を長手方向に有する一方の部材１と、断面略コ字形部分を長手方向に有し、端部を一方の部材１の接続壁３ａに連結する他方の部材４とを備え、他方の部材４は、一組の切込み部７，７と切残し部８とを自己の接続壁６の連結側端部に有し、一方の部材１は、他方の部材の側壁５，５間に開口する開口部９と切残し部挿通孔１０とを自己の接続壁３ａの連結側部分に有し、他方の部材の切込み部７，７に一方の部材の側壁２，２が嵌合し、一方の部材の側壁２，２を他方の部材の側壁５，５と切残し部８とで挟着しており、一方の部材の切残し部挿通孔１０が側壁５にまで達し、切残し部挿通孔１０に他方の部材の接続壁６が嵌合しており、切残し部挿通孔１０から一方の部材の側壁間に挿入した切残し部８を、開口部９から一方の部材の接続壁３ａに向けて折り曲げて抜け止めしてある。【選択図】　　　図１
2004000999.tif 000002
【特許請求の範囲】
【請求項１】
対向する側壁と側壁同士を繋ぐ対向する接続壁とから成る断面略ロ字形部分を長手方向に有する一方の部材と、対向する側壁と側壁同士を繋ぐ接続壁とからなる断面略コ字形部分を長手方向に有し、長手方向の端部を一方の部材の接続壁に連結する他方の部材とを備え、他方の部材は、一組の切込み部と、切込み部の間に位置する切残し部とを自己の接続壁の一方の部材との連結側端部に有し、一方の部材は、他方の部材の側壁間に開口する開口部と切残し部挿通孔とを自己の接続壁の他方の部材との連結側部分に有しており、他方の部材の切込み部に一方の部材の側壁が嵌合し、一方の部材の側壁を他方の部材の側壁と切残し部とで挟着しており、一方の部材の切残し部挿通孔が側壁にまで達し、切残し部挿通孔に他方の部材の接続壁が嵌合しており、切残し部挿通孔から一方の部材の側壁間に挿入した切残し部を、開口部から一方の部材の接続壁に向けて折り曲げて抜け止めしてあることを特徴とする二部材の連結構造体。
【請求項２】
一方の部材の側壁に、他方の部材の側壁の端面が当接する段部を設け、一方の部材の側壁と他方の部材の側壁とが略同一平面をなしていることを特徴とする請求項１記載の二部材の連結構造体。
【発明の詳細な説明】
【０００１】
【発明の属する技術分野】
本発明は、建材や運搬用パレット等に適用されるビスやリベットを使わない二部材の連結構造体に関するものである。
【０００２】
【従来の技術】
これまで、アルミ形材等の部材を連結して構成する格子状の構造体においては、部材同士の連結をビスやリベットにより行うのが一般的であった。ビスやリベットでアルミ形材を連結するためには、形材にタッピングホールを設けたり、ビス通し孔を加工したり、後からその孔を塞いだりする必要があってコストが掛かり、ビスやリベットの頭が露出するので体裁も悪かった。
【０００３】
特開昭６０−１８７４３９号公報には、ビスやリベットを使わずに二部材を連結する構造が開示されている。これは図７に示すように、連結する二部材９０，９１の重合壁に切り込み９２を入れ、先端から根元に向って幅が狭くなる形の舌片９３を互いに逆向きに対にして設けておき、さらに一方の部材９１の重合壁の反対側を開放しておき、一方の部材の開放側から挿入した治具９４により、舌片９３を他方の部材９０の内部に曲げ起こすことによって連結固定するものである。
【０００４】
【発明が解決しようとする課題】
上記の構造であると、一方の部材９１の一側面が開放した形となるため、その開放部を目板９５で塞がなければならず、部品点数並びに作業工程が増加しコストの増大を招いていた。またこの構造では、先端から根元に向って幅が狭くなる形の舌片９３のみで固定しているが、幅の狭くなる度合が小さい場合には舌片が抜ける恐れがあり、反対に根元を狭くしすぎると舌片がちぎれる恐れがあって、連結強度を上げることが困難であった。本発明はこうした実情に鑑み、部品点数を増やすことなく、外観が良好で、且つ連結強度の優れた二部材の連結構造体を提供することを目的とする。
【０００５】
【課題を解決するための手段】
上記の課題を達成するために、請求項１記載の発明による二部材の連結構造体は、対向する側壁と側壁同士を繋ぐ対向する接続壁とから成る断面略ロ字形部分を長手方向に有する一方の部材と、対向する側壁と側壁同士を繋ぐ接続壁とからなる断面略コ字形部分を長手方向に有し、長手方向の端部を一方の部材の接続壁に連結する他方の部材とを備え、他方の部材は、一組の切込み部と、切込み部の間に位置する切残し部とを自己の接続壁の一方の部材との連結側端部に有し、一方の部材は、他方の部材の側壁間に開口する開口部と切残し部挿通孔とを自己の接続壁の他方の部材との連結側部分に有しており、他方の部材の切込み部に一方の部材の側壁が嵌合し、一方の部材の側壁を他方の部材の側壁と切残し部とで挟着しており、一方の部材の切残し部挿通孔が側壁にまで達し、切残し部挿通孔に他方の部材の接続壁が嵌合しており、切残し部挿通孔から一方の部材の側壁間に挿入した切残し部を、開口部から一方の部材の接続壁に向けて折り曲げて抜け止めしてあることを特徴とする。
【０００６】
さらに請求項２記載の発明は、一方の部材の側壁に、他方の部材の側壁の端面が当接する段部を設け、一方の部材の側壁と他方の部材の側壁とが略同一平面をなしていることを特徴とする。
【０００７】
【発明の実施の形態】
本発明の二部材の連結構造体は、長尺の二部材を互いに交差するように連結して、面格子やフェンス等の建材や物流用のパレット等に用いられる四角い枠や格子状の構造体を構成するためのものである。例えば図６は物流用のロールボックスパレットを示しており、その後壁１２と左右の横壁１３はアルミないしスチールの形材を連結して格子状に形成してあるが、その縦横の形材の連結箇所ａすべてに本発明を用いることができる。
【０００８】
図１から図３は、本発明の第一実施形態を示している。縦に伸びる一方の部材１は、対向する側壁２，２と側壁同士を繋ぐ対向する接続壁３ａ，３ｂとから断面ロ字形に形成されている。横に伸びる他方の部材４は、対向する側壁５，５と、その上側で側壁同士を繋ぐ接続壁６とから断面コ字形に形成されている。他方の部材４の側壁５同士の間隔は、その間に一方の部材の側壁２，２がぴったりと嵌まり込む寸法になっている。連結のための準備として他方の部材４には、図１（イ）や図２（イ）に示すように、接続壁６の連結側端部に側壁５，５に沿って二箇所に切込み部７，７を設けてあり、切込み部７，７の間に切残し部８を設けてある。切込み部７の幅は、一方の部材の側壁２の肉厚と同じにしてある。また、一方の部材１の連結側の接続壁３ａには、上下方向の幅が切残し部８の肉厚と同じ幅であって、深さが側壁２にまで達する切残し部挿通孔１０を設けてある。さらに、切残し部挿通孔１０の下部に繋げて、後述する折り曲げ工具１４を出し入れできる開口部９を設けてある。
【０００９】
一方の部材１と他方の部材４に各々上記の加工を行った上で、他方の部材４の切残し部８を一方の部材１の切残し部挿通孔１０に差し込んで両者を連結する。差し込んでいくとまず他方の部材の側壁５，５に一方の部材の側壁２，２が嵌合し、次いで他方の部材の切込み部７，７に一方の部材の側壁２，２が嵌合し、奥まで差し込むと切残し部挿通孔１０の両側の角の部分に、他方の部材の接続壁６の切込み部７奥側が嵌合する。この時の状態を示すのが図２（ロ）と図３（ロ）である。他方の部材の側壁５の先端は、切込み部７と切残し部挿通孔１０の深さの兼ね合いで、一方の部材の反対側の接続壁３ｂと同面になるようにしている。次に、差し込んだ切残し部８を折り曲げて抜け止めする。これは図３に示すように、他方の部材４の下側より開口部９を通して一方の部材１内部に折り曲げ工具１４を挿入し、図３（ハ）に示すように、まず折り曲げ工具の治具１５で切残し部８の後側を押えながら曲げ起こし爪１６を回動させ、切残し部８を上向きに９０°折り曲げる。続いて、図３（ニ）に示すように折り曲げ工具に設けた鉤状部１７を使って切残し部８をさらに手前側に９０°折り曲げ、切残し部８の先端を接続壁３ａの内側に当接させる。
【００１０】
こうして二部材の連結が完了し、ビス等の他の部品を一切使用しないことで、コストを下げると同時に良好な外観を実現できる。開口部９は、他方の部材の側壁５，５間に設けてあって外部から見えないため、あとからこれを塞ぐ手間を省くことができる。連結の強度の面から言うと、他方の部材の切込み部７に一方の部材の側壁２が嵌合し、一方の部材の側壁２を他方の部材の側壁５，５と切残し部８とで挟着しているために、連結部で両部材が動かないように強固に固定され、特に他方の部材４に働く左右方向の力に対して高い強度を発揮する。また、切残し部挿通孔１０が自己の側壁２にまで達しており、そこに他方の部材の接続壁６が嵌合し固定されているため、他方の部材４に働く上下方向の力や捩りに対して高い強度を発揮する。さらに、切残し部８を１８０°曲げてその先端を接続壁３ａに当接したことにより、単に９０°だけ折り曲げた場合に比べて折り曲げた切残し部８が変形しにくく、他方の部材４を引っ張っても容易には抜けない。なお、切込み部７の幅が一方の部材の側壁２の肉厚より広く形成してあって、切残し部８の両側端部が一方の部材の側壁２の内側に当接していない場合でも、両部材の側壁同士（２，２と５，５）が嵌合していれば、他方の部材４が左右にずれたり傾いたりすることは防止できるので、それなりの連結強度は保たれる。また、切残し部挿通孔１０が接続壁３ａの範囲内に収まっていて、そこに単に切残し部８を挿通し抜け止めしただけの場合には、他方の部材４が連結部を支点として上下に傾くことまでは規制できないが、両端部を連結固定するものであれば、実際の対象物によってはそれでも十分な場合もある。
【００１１】
図４と図５は、本発明の第２実施形態を示している。図４（イ）と図５（イ）に示すように、一方の部材１は、対向する側壁２，２に段部１１，１１を設け、他方の部材４の連結側に本来の側壁２，２よりも相対間隔の狭い２番目の側壁１８，１８を形成してある。一方の部材の連結側の接続壁３ａには、上下方向の幅が他方の部材の接続壁６の肉厚と同じで、且つ自己の接続壁３ａの肉厚分の深さの切込みを入れて切残し部挿通孔１０を形成してあり、切残し部挿通孔１０から下に繋げて、開口部９を四角い窓状に開口させてある。他方の部材４は、対向する側壁５，５と、その上側で側壁同士を繋ぐ接続壁６とから断面コ字形に形成されており、他方の部材の側壁５同士の間隔は、その間に一方の部材の２番目の側壁１８，１８がぴったりと嵌まり込み、且つ連結した時に一方の部材の側壁２と他方の部材の側壁５とが同一平面をなすようにしてある。他方の部材４は、接続壁６の連結側端部に切込み部７，７を側壁５に沿って二箇所に設けてあり、切込み部７，７の間に切残し部８を設けてある。切残し部８を切残し部挿通孔１０に差し込んで両部材を連結すると、図５（ロ）に示すように切込み部７に一方の部材の２番目の側壁１８，１８が嵌合し、切残し部挿通孔１０に他方の部材の接続壁６が嵌合し、他方の部材の側壁５，５の端面が段部１１，１１に当接する。それから開口部９より折り曲げ工具（図示省略）を挿入し、切残し部８を一方の部材の接続壁３ａに沿うように折り曲げて抜け止めすれば、両部材が強固に連結固定される。折り曲げ工具は、例えば先端が少し曲がった棒状のものを用い、その先端を切残し部８に当てがって開口部９の下側を支点として回動させることで、切残し部８を簡単に折り曲げることができる。
【００１２】
本発明は以上に述べた実施形態に限定されない。一方の部材は断面略ロ字形部分を長手方向に有していれば良く、ロ字形断面の形材のみに限定されず、同じように他方の部材は断面略コ字形部分を長手方向に有していれば良い。本発明はそのような二部材の連結に幅広く適用でき、実際に構成されるものの全体の形態や用途は問わない。
【００１３】
【発明の効果】
請求項１記載の発明による二部材の連結構造体は、ビスやリベット等の他の部品を一切用いないためコストを削減でき、またそうした部品が外部に露出せず、開口部も外部から見えないように他方の部材の側壁間に開口させてあるので、外観が良好となる。また、一方の部材の側壁を他方の部材の側壁と切残し部とで挟着し、且つ一方の部材の切残し部挿通孔に他方の部材の接続壁が嵌合しているので、連結部で両部材が動かないように強固に固定され、他方の部材に上下方向や左右方向の力が加わっても連結部がぐらつくことがなく、連結強度が高い。
【００１４】
請求項２記載の発明によれば、両部材の側壁が同一平面をなすことで外観意匠をより一層高めることができる。また、他方の部材の側壁の端面が一方の部材の段部に当接しているので、他方の部材に上下方向の力が加わっても連結部がぐらつかない。
【図面の簡単な説明】
【図１】（イ）（ロ）
本発明による二部材の連結構造体の第１実施形態であって、連結前の状態と連結後の状態を示す斜視図である。
【図２】（イ）（ロ）（ハ）
図１に示す二部材の連結構造体を連結する時の様子を段階的に示す横断面図である。
【図３】（イ）（ロ）（ハ）（二）
図１に示す二部材の連結構造体を連結する時の様子を段階的に示す縦断面図である。
【図４】（イ）（ロ）
本発明による二部材の連結構造体の第２実施形態であって、連結前の状態と連結後の状態を示す斜視図である。
【図５】（イ）（ロ）（ハ）
図４に示す二部材の連結構造体を連結する時の様子を段階的に示す横断面図である。
【図６】（イ）（ロ）
本発明を適用したロールボックスパレットの側面図と後面図である。
【図７】（イ）（ロ）
ビスを使わない二部材の連結構造の従来例を示す正面図とＡ−Ａ断面図である。
【符号の説明】
１　一方の部材
２　側壁
３ａ，３ｂ　接続壁
４　他方の部材
５　側壁
６　接続壁
７　切込み部
８　切残し部
９　開口部
１０　切残し部挿通孔
１１　段部
【図１】
2004000999.tif 000003
【図２】
2004000999.tif 000004
【図３】
2004000999.tif 000005
【図４】
2004000999.tif 000006
【図５】
2004000999.tif 000007
【図６】
2004000999.tif 000008
【図７】
2004000999.tif 000009